(57)【特許請求の範囲】
【請求項１】
略矩形板状をなす底壁構成部と、
前記底壁構成部の各側辺部から上方に延びる側壁部と、
前記各側壁部の上辺部から外方に突出するフランジ部と
を具備する上方に開口する略箱状の容器本体と、
前記容器本体の開口部を閉塞可能な略矩形板状の天板部と、
前記天板部の外周縁から下方に突出するスカート部と
を具備する蓋部材とを備え、
前記蓋部材を前記容器本体に被せた場合に、
前記側壁部の上辺部、及び、前記フランジ部の上面が前記天板部の下面に当接するとともに、
前記スカート部が前記フランジ部の外周を囲うようにして配置される蓋付き容器において、
前記容器本体は、前記側壁部の上辺部の一部に対応して、前記フランジ部が突出形成されていない誘導部を備えており、
前記容器本体は、前記フランジ部のうち前記誘導部側の端縁から下方に傾斜して延びる縦フランジを備えているとともに、
前記容器本体は、前記誘導部における前記側壁部の上辺部から下方に変位した位置において、一対の前記縦フランジの間を連結する連結部を備えており、
前記容器本体に被せられた状態にある前記蓋部材の前記スカート部の下端部は、前記容器本体の前記連結部よりも上方に位置し、
前記スカート部は、前記縦フランジに対向していることを特徴とする蓋付き容器。
【請求項２】
前記各側壁部の上辺部は、前記容器本体の開口周縁部の全周にわたって、同じ高さで連続して延びており、
前記容器本体に前記蓋部材が被せられた状態において、前記側壁部の上辺部が、前記容器本体の開口周縁部の全周にわたって、前記天板部の下面に当接することを特徴とする請求項１に記載の蓋付き容器。
【請求項３】
前記スカートの内周面に、リブを設け、当該リブは、前記フランジ部に対向していることを特徴とする請求項１又は２に記載の蓋付き容器。
【発明の詳細な説明】
【技術分野】
【０００１】
本発明は、物品の運搬等に使用される蓋付き容器に関するものである。
【背景技術】
【０００２】
従来、上方に開口する箱状の容器本体と、容器本体の開口部を閉鎖する蓋部材とを備える蓋付き容器が知られている。また、一般に、容器本体は、略矩形板状の底壁構成部と、底壁構成部の側辺部から上方に延びる側壁部と、側壁部の上辺部から外方に突出するフランジ部とを備えている。その一方で、蓋部材は、容器本体の開口部を閉塞可能な略矩形板状の天板部と、天板部の外周縁から下方に突出するスカート部とを備えている。そして、蓋部材を容器本体に被せた場合には、フランジ部の上面が天板部の下面に当接して、蓋部材が容器本体に支持されるとともに、スカート部がフランジ部の外周を囲うようにして配置されて、容器本体に対する蓋部材の水平方向における位置決めが行われるようになっている（例えば、特許文献１等参照。）。
【先行技術文献】
【特許文献】
【０００３】
【特許文献１】実用新案登録第２５０１６７１号公報
【発明の概要】
【発明が解決しようとする課題】
【０００４】
ところで、容器本体に被せた蓋部材を容器本体から取外す場合に、容器本体と蓋部材との間に形成される空間が負圧状態となり、蓋部材を取外し難くなってしまうことが懸念される。また、容器本体に収容された物品が非常に軽量のものである場合には、蓋部材が容器本体から取外される際に、容器本体と蓋部材との間に形成される空間において発生する気流により、物品が容器本体から飛び出してしまうことが懸念される。
【０００５】
本発明は、上記例示した問題点等を解決するためになされたものであって、その目的は、蓋部材を容器本体から比較的スムースに取外すことのできる蓋付き容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．略矩形板状をなす底壁構成部と、
前記底壁構成部の各側辺部から上方に延びる側壁部と、
前記各側壁部の上辺部から外方に突出するフランジ部と
を具備する上方に開口する略箱状の容器本体と、
前記容器本体の開口部を閉塞可能な略矩形板状の天板部と、
前記天板部の外周縁から下方に突出するスカート部と
を具備する蓋部材とを備え、
前記蓋部材を前記容器本体に被せた場合に、
前記側壁部の上辺部、及び、前記フランジ部の上面が前記天板部の下面に当接するとともに、
前記スカート部が前記フランジ部の外周を囲うようにして配置される蓋付き容器において、
前記容器本体は、前記側壁部の上辺部の一部に対応して、前記フランジ部が突出形成されていない誘導部を備えており、
前記容器本体は、前記フランジ部のうち前記誘導部側の端縁から下方に傾斜して延びる縦フランジを備えているとともに、
前記容器本体は、前記誘導部における前記側壁部の上辺部から下方に変位した位置において、一対の前記縦フランジの間を連結する連結部を備えており、
前記容器本体に被せられた状態にある前記蓋部材の前記スカート部の下端部は、前記容器本体の前記連結部よりも上方に位置し、
前記スカート部は、前記縦フランジに対向していることを特徴とする蓋付き容器。
【０００８】
手段１によれば、容器本体において、フランジ部が省略された誘導部が形成されることにより、誘導部において、容器本体と、該容器本体に被せられた蓋部材との接触面積を低減させることができる。これにより、容器本体に被せられた蓋部材を容器本体から取外す場合に、誘導部において、容器本体と、蓋部材とが離間し易くなり、ひいては、両者間に隙間が形成され易くなる。このため、容器本体と蓋部材との間に形成される空間に対し、誘導部（と、蓋部材との間に形成された隙間）を介して、外気が比較的スムースに流入することとなり、容器本体と蓋部材との間に形成される空間が負圧状態とされてしまうといった事態を抑制することができる。
【０００９】
従って、蓋部材を容器本体から取外す際に、容器本体と蓋部材との間に形成される空間が負圧状態となることに起因して、蓋部材を取外し難くなってしまう（蓋部材がなかなか持ち上がってこない等）といった事態を抑制することができる。また、例えば、容器本体に収容された物品が非常に軽量のものである場合に、蓋部材が容器本体から取外されることで、容器本体と蓋部材との間に形成される空間の負圧状態が解消される際に、該空間において瞬間的に発生する気流によって、物品が容器本体から飛び出してしまうといった事態を防止することができる。さらに、蓋部材を容器本体に被せる際に、容器本体と蓋部材との間から、余分な空気を比較的スムースに逃がすことができる。結果として、容器本体に対して蓋部材を比較的スムースに着脱することができ、蓋部材の着脱に際しての作業性の向上等を図ることができる。
【００１０】
尚、容器本体に蓋部材を被せることによって、容器本体の内側に埃等の異物が侵入してしまうといった事態を抑制することができる。また、例えば、容器本体を、順次、コンベアで搬送する場合に、容器本体のフランジ部同士が突き当り、一方が他方に乗り上げてしまうといった問題に関し、容器本体に対して蓋部材を被せて搬送することで解消することができる。
【００１１】
また、手段１によれば、フランジ部の誘導部側端縁や、その周辺部における強度の向上を図ることができる。また、蓋部材を容器本体に被せた状態において、スカート部に対して容器本体の内周側に向かう力が作用し、スカート部が同方向に変形しようとした場合に、該スカート部が、容器本体の縦フランジに当接して支持され、それ以上の変形が規制されることとなる。従って、スカート部の変形や損傷等を抑止することができる。
【００１２】
また、縦フランジや、その周辺部における強度の向上を図ることができる。さらに、側壁部のうちフランジ部が設けられていない範囲の強度の向上を図ることができる。さらに、連結部が設けられることにより、容器本体に蓋部材を被せた状態のまま、蓋付き容器を持ち運ぶことが可能となる。つまり、例えば、蓋部材を被せた状態の蓋付き容器を、容器本体のフランジ部の下面に手を掛けて持ち上げようとした場合、かかる手によって、スカート部の下端部がフランジ部の高さになるまで蓋部材が押し上げられてしまい、蓋部材が容器本体から脱落し易くなってしまうことが懸念される。これに対し、連結部は、側壁部の上辺部やフランジ部よりも下方に位置していることから、蓋部材を被せた状態の蓋付き容器を、蓋部材の脱落を招くことなく、ロボットアームや、作業者の手で連結部の下面を支持して移動させることができる。
【００１３】
特に、スカート部の下端部が容器本体の連結部よりも上方に位置していることから、蓋部材を上方に変位させることなく、連結部を支持して持ち上げることができる。このため、蓋部材を被せた状態の蓋付き容器を、蓋部材の脱落を招くことなく、ロボットアームや作業者の手で連結部の下面を支持して移動させることができるといった作用効果がより確実に奏されることとなる。また、一対の縦フランジと、連結部とで囲まれる空間が、蓋部材のスカート部によって閉塞されるといった事態を回避することができる。従って、縦フランジ及び連結部を備える構成であっても、誘導部への外気の通りが悪化し、ひいては、容器本体に対する蓋部材の着脱作業性を低下させてしまうといった事態を抑止することができる。また、縦フランジが、容器本体に被せられた蓋部材のスカート部の下端部よりも下方にまで延在することとなるため、容器本体に被せられた蓋部材のスカート部が、容器本体の内周側に変形するといった事態をより確実に防止することができる。
【００１４】
手段２．前記各側壁部の上辺部は、前記容器本体の開口周縁部の全周にわたって、同じ高さで連続して延びており、
前記容器本体に前記蓋部材が被せられた状態において、前記側壁部の上辺部が、前記容器本体の開口周縁部の全周にわたって、前記天板部の下面に当接することを特徴とする手段１に記載の蓋付き容器。
【００１５】
手段２によれば、側壁部の上辺部に関しては、容器本体の開口周縁部の全周にわたって、蓋部材の天板部の下面に当接することとなる。このため、蓋部材が被せられた容器本体内部への埃等の異物の侵入をより確実に防止することができる。また、容器本体に収容された物品が容器外部に脱落してしまうことをより確実に防止することができる。
【００１６】
手段３．前記スカートの内周面に、リブを設け、当該リブは、前記フランジ部に対向していることを特徴とする手段１又は２に記載の蓋付き容器。
【図面の簡単な説明】
【００１７】
【図１】蓋付き容器を上側から見た斜視図である。
【図２】容器本体を上側から見た斜視図である。
【図３】容器本体を下側から見た斜視図である。
【図４】蓋部材を上側から見た斜視図である。
【図５】蓋部材を下側から見た斜視図である。
【図６】左半分は容器本体の側面図であり、右半分は蓋部材を被せた容器本体（蓋付き容器）の側面図である。
【図７】蓋付き容器の断面図である。
【図８】図７のＪ部を示す部分拡大断面図である。
【図９】別の実施形態における容器本体の斜視図である。
【図１０】別の実施形態における容器本体の斜視図である。
【発明を実施するための形態】
【００１８】
以下に、一実施形態について図面を参照して説明する。図１等に示すように、蓋付き容器１は、上方に開口する略箱状の容器本体２と、容器本体２に被せられる蓋部材３とを備えている。本実施形態の容器本体２及び蓋部材３は、それぞれポリプロピレンにより一体的に形成されている。
【００１９】
図２、図３に示すように、容器本体２は、相対する一対の長辺部と相対する一対の短辺部とを備える略矩形板状の底壁構成部１１と、底壁構成部１１の各長辺部からそれぞれ上方に延出する長辺側側壁部１２と、底壁構成部１１の各短辺部からそれぞれ上方に延出する短辺側側壁部１３と、各側壁部１２、１３の上辺部から外方に突出するフランジ部１４とを備えている。本実施形態では、底壁構成部１１、及び、側壁部１２、１３には、水抜き孔や持ち手用の孔等の空気が流通可能な孔部は一切形成されていない。
【００２０】
また、図４、図５に示すように、蓋部材３は、容器本体２の開口部を閉塞可能な略矩形板状の天板部２１と、天板部２１の外周縁から下方に突出するスカート部２２とを備えている。天板部２１、及び、スカート部２２に関しても、空気が流通可能な孔部は一切形成されていない。そして、図１、図７に示すように、蓋部材３を容器本体２に被せた場合に、側壁部１２、１３の上辺部、及び、フランジ部１４の上面が天板部２１の下面に当接して、蓋部材３が容器本体２に支持されるとともに、スカート部２２がフランジ部１４の外周を囲うようにして配置されて、容器本体２に対する蓋部材３の水平方向における位置決めが行われるようになっている。
【００２１】
さて、図２、図６等に示すように、本実施形態の容器本体２は、一対の長辺側側壁部１２の上辺部のうち、長辺側側壁部１２の横幅方向中央部を含む範囲に対応して、フランジ部１４が突出形成されていない誘導部３１を備えている。本実施形態では、長辺側側壁部１２においては、長辺側側壁部１２の上辺部のうち、長辺側側壁部１２の横幅方向両側部から、横幅方向中央部側に向けて、長辺側側壁部１２の横幅の１／５〜１／４程度の距離を隔てた位置にかけてフランジ部１４が形成されている。
【００２２】
さらに、長辺側側壁部１２の上辺部、及び、短辺側側壁部１３の上辺部は、容器本体２の開口周縁部の全周にわたって、同じ高さで連続して延びている。そして、容器本体２に蓋部材３が被せられた状態においては、容器本体２の開口周縁部の全周にわたって、側壁部１２、１３の上辺部が、天板部２１の下面に当接するようになっている。尚、短辺側側壁部１３側には誘導部３１が形成されておらず、短辺側側壁部１３の上辺部全域にフランジ部１４が形成されている。加えて、各短辺側側壁部１３の上辺部から突出するフランジ部１４は、各長辺側側壁部１２の上辺部から突出するフランジ部１４と同じ高さ位置で連続して延びている。
【００２３】
また、本実施形態では、容器本体２は、フランジ部１４のうち誘導部３１側の各端縁からそれぞれ下方に延びる縦フランジ３２と、誘導部３１における長辺側側壁部１２の上辺部から下方に変位した位置において、一対の縦フランジ３２の下端部間を連結する連結部３３とを備えている。本実施形態の縦フランジ３２は、下方に向けて、長辺側側壁部１２の横幅方向中央部側に傾斜して延びている。また、連結部３３は、長辺側側壁部１２の上辺部から下方に向けて、長辺側側壁部１２の高さの１／４〜１／３程度の距離を隔てた位置において、長辺側側壁部１２の上辺部に平行して延びている。
【００２４】
図６、図８に示すように、本実施形態では、容器本体２に被せられた状態にある蓋部材３のスカート部２２の下端部が、容器本体２の連結部３３よりも若干上方に位置する（例えば、０．５ｍｍ〜５ｍｍ程度上方に位置する）ように構成されている。加えて、図２等に示すように、縦フランジ３２、連結部３３、及び、フランジ部１４の長辺側側壁部１２からの突出長は（ほぼ）同じであり、フランジ部１４、縦フランジ３２、及び、連結部３３の突出方向先端縁は連続して延びている。
【００２５】
加えて、図３、図６等に示すように、容器本体２の各短辺側側壁部１３には、フランジ部１４の下面から下方に延びる補強リブ３４がそれぞれ一対で設けられている。補強リブ３４の短辺側側壁部１３からの突出長についても、基本的に、フランジ部１４の短辺側側壁部１３からの突出長と（ほぼ）同じであり、フランジ部１４、及び、補強リブ３４の突出方向先端縁は連続している。尚、補強リブ３４の下部については、突出長が次第に短くなるように構成されている。また、補強リブ３４の下端部は、連結部３３の下面よりも若干上方に位置している。加えて、図１等に示すように、各長辺側側壁部１２、及び、各短辺側側壁部１３の外面側には、長辺側側壁部１２の中央部、及び、短辺側側壁部１３の中央部を含む部位を一段凹ませることによって形成されたラベル取着部３５が設けられている。
【００２６】
図４等に示すように、蓋部材３の天板部２１は、略四角枠状の外周部４１と、外周部４１の内周側の開口を閉塞する内周部４２とを備えている。外周部４１の外周縁は、フランジ部１４の外周縁よりも一回り大きく構成され、スカート部２２は、外周部４１の外周縁から下方に突出形成されている。本実施形態では、蓋部材３のうち、内周部４２は、無色透明のポリプロピレンによって構成され、外周部４１等のその他の部位は、有色不透明のポリプロピレンによって構成されている。
【００２７】
また、蓋部材３には、外周部４１の外周縁に沿って、外周部４１の上面から上方に突出する略四角枠状の段積み用突部４３が設けられている。図７に示すように、段積み用突部４３の内周縁は、容器本体２の側壁部１２、１３の下辺部外周縁よりも一回り大きく構成され、段積み用突部４３の外周縁は、フランジ部１４の外周縁よりも一回り小さく構成されている。そして、容器本体２に蓋部材３を被せた状態の蓋付き容器１の上方に、蓋付き容器１を積み重ねた（段積みした）場合、下側の蓋付き容器１の段積み用突部４３の内周側に、上側の蓋付き容器１の容器本体２下部が挿入され、下側の蓋付き容器１の天板部２１上面によって、上側の蓋付き容器１の容器本体２下面が支持されるようになっている。さらに、下側の蓋付き容器１の段積み用突部４３によって、上側の蓋付き容器１の水平方向への位置ずれが防止されるようになっている。
【００２８】
また、図７、図８に示すように、蓋部材３の天板部２１において、内周部４２の上面が、外周部４１の上面よりも一段低くなるように構成されている。これにより、蓋付き容器１を段積みした場合に、下側の蓋付き容器１の内周部４２が、上側の蓋付き容器１の容器本体２下面に接触して損傷しないように（下側の蓋付き容器１の外周部４１で、上側の蓋付き容器１を支持するように）構成されている。
【００２９】
加えて、図５に示すように、蓋部材３のスカート部２２の内周面には、各コーナー部の両側方において、上下に延びる寄せリブ４４が設けられている。当該寄せリブ４４は、蓋部材３を容器本体２に被せた場合に、フランジ部１４の突出方向先端縁（外縁部）と当接、又は、近接するように構成されている。寄せリブ４４の存在によって、フランジ部１４と、スカート部２２内周面との接触が回避され、両者間に隙間が形成されるようになっている。
【００３０】
以上詳述したように、本実施形態によれば、容器本体２において、フランジ部１４が省略された誘導部３１が形成されることにより、誘導部３１において、容器本体２と、該容器本体２に被せられた蓋部材３との接触面積を低減させることができる。これにより、容器本体２に被せられた蓋部材３を容器本体２から取外す場合に、誘導部３１において、容器本体２と、蓋部材３とが離間し易くなり、ひいては、両者間に隙間が形成され易くなる。このため、容器本体２と蓋部材３との間に形成される空間に対し、誘導部３１（と、蓋部材３との間に形成された隙間）を介して、外気が比較的スムースに流入することとなり、容器本体２と蓋部材３との間に形成される空間が負圧状態とされてしまうといった事態を抑制することができる。
【００３１】
従って、蓋部材３を容器本体２から取外す際に、容器本体２と蓋部材３との間に形成される空間が負圧状態となることに起因して、蓋部材３を取外し難くなってしまう（蓋部材３がなかなか持ち上がってこない等）といった事態を抑制することができる。また、例えば、容器本体２に収容された物品が非常に軽量のものである場合に、蓋部材３が容器本体２から取外されることで、容器本体２と蓋部材３との間に形成される空間の負圧状態が解消される際に、該空間において瞬間的に発生する気流によって、物品が容器本体２から飛び出してしまうといった事態を防止することができる。さらに、蓋部材３を容器本体２に被せる際に、容器本体２と蓋部材３との間から、余分な空気を比較的スムースに逃がすことができる。結果として、容器本体２に対して蓋部材３を比較的スムースに着脱することができ、蓋部材３の着脱に際しての作業性の向上等を図ることができる。
【００３２】
尚、容器本体２に蓋部材３を被せることによって、容器本体２の内側に埃等の異物が侵入してしまうといった事態を抑制することができる。また、例えば、容器本体２を、順次、コンベアで搬送する場合に、容器本体２のフランジ部１４同士が突き当り、一方が他方に乗り上げてしまうといった問題に関し、容器本体２に対して蓋部材３を被せて搬送することで解消することができる。
【００３３】
また、本実施形態では、長辺側側壁部１２、及び、短辺側側壁部１３の上辺部は、容器本体２の開口周縁部の全周にわたって、同じ高さで連続して延びており、容器本体２に蓋部材３が被せられた状態において、長辺側側壁部１２、及び、短辺側側壁部１３の上辺部が、容器本体２の開口周縁部の全周にわたって、天板部２１の下面に当接するようになっている。このため、蓋部材３が被せられた容器本体２内部への異物の侵入をより確実に防止することができる。また、容器本体２に収容された物品が容器外部に脱落してしまうことをより確実に防止することができる。
【００３４】
さらに、容器本体２には、フランジ部１４のうち誘導部３１側の端縁から下方に延びる縦フランジ３２が設けられている。当該縦フランジ３２によって、フランジ部１４の誘導部３１側端縁や、その周辺部における強度の向上を図ることができる。また、蓋部材３を容器本体２に被せた状態において、スカート部２２に対して容器本体２の内周側に向かう力が作用し、スカート部２２が同方向に変形しようとした場合に、該スカート部２２が、容器本体２の縦フランジ３２に当接して支持され、それ以上の変形が規制されることとなる。従って、スカート部２２の変形や、該変形に起因する損傷等を抑止することができる。尚、短辺側側壁部１３の外面側には、縦フランジ３２は設けられていないものの、フランジ部１４の下面から下方に延びる補強リブ３４が設けられており、補強リブ３４によっても、スカート部２２の容器本体２内周側への変形や、変形に起因する損傷等の抑止が図られている。
【００３５】
また、容器本体２には、誘導部３１における長辺側側壁部１２の上辺部から下方に変位した位置において、一対の縦フランジ３２の下端部間を連結する連結部３３が設けられている。このため、縦フランジ３２や、その周辺部における強度の向上を図ることができる。さらに、長辺側側壁部１２のうちフランジ部１４が設けられていない範囲（比較的変形し易い長辺側側壁部１２の横幅方向中央部を含む範囲）の強度の向上を図ることができる。
【００３６】
加えて、容器本体２に被せられた状態にある蓋部材３のスカート部２２の下端部は、容器本体２の連結部３３よりも上方に位置している。このため、一対の縦フランジ３２と、連結部３３とで囲まれる空間が、蓋部材３のスカート部２２によって閉塞されるといった事態を回避することができる。従って、縦フランジ３２及び連結部３３を備える構成であっても、誘導部３１への外気の通りが悪化し、ひいては、容器本体２に対する蓋部材３の着脱作業性を低下させてしまうといった事態を抑止することができる。さらに、縦フランジ３２が、容器本体２に被せられた蓋部材３のスカート部２２の下端部よりも下方にまで延在することとなるため、容器本体２に被せられた蓋部材３のスカート部２２が、容器本体２の内周側に変形するといった事態をより確実に防止することができる。
【００３７】
また、連結部３３が設けられることによって、容器本体２に蓋部材３を被せた状態のまま、蓋付き容器１を持ち運ぶことが可能となる。つまり、例えば、蓋部材３を被せた状態の蓋付き容器１を、容器本体２のフランジ部１４の下面に手を掛けて持ち上げようとした場合、かかる手によって、スカート部２２の下端部がフランジ部１４の高さになるまで蓋部材３が押し上げられてしまい、蓋部材３が容器本体２から脱落し易くなってしまうことが懸念される。これに対し、連結部３３は、長辺側側壁部１２の上辺部やフランジ部１４よりも下方に位置しており、特に、本実施形態では、容器本体２に被せられた状態にある蓋部材３のスカート部２２の下端部が、容器本体２の連結部３３よりも上方に位置している。このため、連結部３３の下面を支持する作業を行うことに伴って、蓋部材３が容器本体２から浮き上がってしまう（側壁部１２、１３上辺部と、天板部２１との間に隙間ができる）といった事態を回避することができる。従って、蓋部材３を被せた状態の蓋付き容器１を、蓋部材３の脱落を招くことなく、ロボットアームや作業者の手で連結部３３の下面を支持して移動させることができる。また、例えば、連結部３３の下面と、蓋部材３の上面とに指を掛け、蓋付き容器１を握るようにして持ち運ぶこともでき、かかる運搬に際しての作業性の向上を図ることができる。
【００３８】
尚、上記実施形態の記載内容に限定されず、例えば次のように実施してもよい。勿論、以下において例示しない他の応用例、変更例も当然可能である。
【００３９】
（ａ）上記実施形態では、長辺側側壁部１２及び短辺側側壁部１３の上辺部の高さ位置が一定の高さで揃うように構成されているが、例えば、図９に示すように、長辺側側壁部１２の上辺部の一部において切欠き部５１を形成することとしてもよい。この場合、蓋部材３が容器本体２に被せられている状態であっても、切欠き部５１を通じて、容器本体２と蓋部材３とで囲まれる容器内部空間と、容器外部とが常に連通した状態となり、蓋部材３の着脱に際しての、容器内部空間と、容器外部との間の空気の流通をよりスムースなものとすることができる。
【００４０】
但し、切欠き部５１に関しては、フランジ部１４や、該フランジ部１４と連続する縦フランジ３２及び連結部３３よりも上方部位（基本的にスカート部２２で覆われる部位）において形成されること、すなわち、誘導部３１に対応して形成されることとする。これにより、切欠き部５１を介して、蓋付き容器１の内部に異物が侵入してしまったり、蓋付き容器１に収容された小さな物品、或いは、液状の物品が容器外部に出てしまったりするといった事態を防止することができる。
【００４１】
尚、図９では、短辺側側壁部１３にも切欠き部５２が形成され、該切欠き部５２に対応しては、切欠き部５２の下縁部に沿ってフランジ部１４が延在するように構成されている。この場合、切欠き部５２の下縁部に沿って延びるフランジ部１４に関して、蓋部材３を支持するといった機能が失われる一方で、縦フランジ３２及び連結部３３のように、切欠き部５２側への異物の侵入を防止したり、切欠き部５２の周辺部の強度を高めたりする機能を有することとなる。
【００４２】
（ｂ）上記実施形態では、長辺側側壁部１２にのみ誘導部３１、縦フランジ３２、及び、連結部３３が設けられているが、かかる構成に代えて、又は、加えて、短辺側側壁部１３において誘導部３１、縦フランジ３２、及び、連結部３３を設けることとしてもよい。さらに、縦フランジ３２や連結部３３を省略することも可能である。但し、縦フランジ３２を設けることでフランジ部１４の端縁やその周辺部の強度の向上を図ることができる。さらに、連結部３３を設けることで、縦フランジ３２やその周辺部、及び、長辺側側壁部１２のうち誘導部３１が形成されることでフランジ部１４が省略されている横幅方向中央部を含む部位の強度の向上等を図ることができる。
【００４３】
（ｃ）また、図１０に示すように、連結部３３の先端縁の一部において切欠き部６１を形成するように構成してもよい。この場合、連結部３３と、容器本体２に被せられた蓋部材３のスカート部２２との間により大きな隙間を形成することができ、蓋部材３の着脱をよりスムースなものとすることができる。また、例えば、容器本体２に被せられている蓋部材３を取外す際に、蓋部材３のスカート部２２の長辺部の略中央位置に手を掛けてバランス良く持ち上げようとした場合に、切欠き部６１を介して、スカート部２２の下辺部に対し、指先を好適に引っ掛けることが可能となる。従って、連結部３３が形成される位置と、蓋部材３の着脱に際して蓋部材３が作業者によって支持される部位とが重なる場合であっても、連結部３３によって、かかる作業が阻害されてしまうといった事態を抑制することができる。
【００４４】
尚、上記実施形態では、容器本体２に被せられた蓋部材３のスカート部２２の下端部が、連結部３３よりも上方に位置するように構成されているが、連結部３３の厚みの範囲内とされる位置に収まるように構成したり、連結部３３の下面よりも下方に位置したりするように構成してもよい（但し、参考例）。当該構成を採用する場合には、連結部３３や縦フランジ３２に前記切欠き部６１を形成したり、蓋部材３のスカート部２２の内周面側に寄せリブ４４を形成したりする等して一対の縦フランジ３２及び連結部３３で囲まれる空間と、容器外部とを連通させることが望ましい。
【００４５】
また、縦フランジ３２には、スカート部２２の変形を規制するといった役割も存在することから、切欠き部６１は、縦フランジ３２ではなく、連結部３３に設けることが望ましい。さらに、寄せリブ４４の突出長を大きくしてしまうと、蓋部材３ひいては蓋付き容器１の大型化を招いて、運搬・保管効率の低下を招くおそれがあるため、寄せリブ４４の突出長は極力小さくして、連結部３３と、スカート部２２との間に隙間を形成するといった構成を併用することが望ましい。尚、寄せリブ４４は省略することも可能である。また、寄せリブ４４を省略する代わりに、フランジ部１４の突出長を部分的に短くして（切欠き部を設けて）、空気の通り道を確保するように構成してもよい。
【００４６】
（ｄ）上記実施形態において、容器本体２や蓋部材３の形状や大きさ等は特に限定されるものではなく、用途に応じて適宜変更可能である。例えば、容器本体２の側壁部１２、１３の外面側（フランジ部１４や、該フランジ部１４と連続する縦フランジ３２及び連結部３３よりも下方位置）や、蓋部材３の天板部２１の下面側において、補強用のリブを適宜形成することも可能である。また、段積みすることのできない蓋付き容器１に具体化することも可能である。
【００４７】
（ｅ）上記実施形態では、縦フランジ３２が下方、かつ、長辺側側壁部１２の横幅方向中央部側に傾斜して延びているが、鉛直方向に延びるように構成してもよい（但し、参考例）。さらに、連結部３３が一対の縦フランジ３２の下端部間を連結するようにして設けられているが、中間位置の間を連結するように構成してもよい。また、スカート部２２の天板部２１からの突出長を部分的に短くしたり、部分的にスカート部２２を省略したりするように構成してもよい。
【００４８】
（ｆ）上記実施形態では、容器本体２、及び、蓋部材３はポリプロピレンにより構成されているが、ポリエチレン、ＰＥＴ、ポリアミド等その他の樹脂材料により構成されることとしてもよい。
【符号の説明】
【００４９】
１…蓋付き容器、２…容器本体、３…蓋部材、１１…底壁構成部、１２…長辺側側壁部、１３…短辺側側壁部、１４…フランジ部、２１…天板部、２２…スカート部、３１…誘導部、３２…縦フランジ、３３…連結部。
【図１】
0006402065.tif 000002
【図２】
0006402065.tif 000003
【図３】
0006402065.tif 000004
【図４】
0006402065.tif 000005
【図５】
0006402065.tif 000006
【図６】
0006402065.tif 000007
【図７】
0006402065.tif 000008
【図８】
0006402065.tif 000009
【図９】
0006402065.tif 000010
【図１０】
0006402065.tif 000011